(57)【要約】【要  約】【課  題】  金属帯幅方向両エッジに形成された「返り」がある場合でも、異物除去ロールの表面損傷を抑えつつ、薄物の金属帯表面の異物を除去することができ、しかも、異物除去コストの上昇を抑えることが可能な金属鋼帯の製造方法を提供する。【解決手段】  上下で一組とした粘着性を有する異物除去ロールを少なくとも二組、金属帯長さ方向に位置させて、該異物除去ロールをそれぞれ上下から金属帯表面に接触させて、該異物除去ロールにより、金属帯幅方向における両エッジ部分を除く部分の金属帯表面に付着している異物を除去する。【選択図】        図１
2005270983.tif 000002
【特許請求の範囲】
【請求項１】
レベラーロールにより形状矯正を行う前に金属帯の表面に付着している異物を、粘着性を有する異物除去ロールを用いて除去する金属帯の製造方法において、
上下で一組とした粘着性を有する異物除去ロールを少なくとも二組、金属帯長さ方向に位置させて、該異物除去ロールをそれぞれ上下から金属帯表面に接触させて、該異物除去ロールにより、金属帯幅方向における両エッジ部分を除く部分の前記金属帯表面に付着している異物を除去することを特徴とする金属帯の製造方法。
【請求項２】
前記異物除去ロールを、一方のロール胴端部に先細りテーパー部分が形成され、それ以外のロール胴長方向部分にはフラットなロール表面プロフィールが形成され、かつフラットな該ロール表面が金属帯幅方向における両エッジ部を除く部分で前記金属帯表面と接触するロールとし、前記金属帯表面に付着している異物を除去することを特徴とする請求項１に記載の金属帯の製造方法。
【請求項３】
前記異物除去ロールを、ロール胴長方向にわたりフラットなロール表面プロフィールが形成され、かつ該ロール表面が金属帯幅方向における両エッジ部を除く部分で前記金属帯表面と接触するロールとし、前記金属帯表面に付着している異物を除去することを特徴とする請求項１に記載の金属帯の製造方法。
【請求項４】
レベラーロールにより形状矯正を行う前に金属帯の表面に付着している異物を、粘着性を有する異物除去ロールを用いて除去するための異物除去装置を設置した金属帯の製造設備であって、
金属帯の精整ラインの幅調整装置以降、巻取装置に至る途中に、金属帯幅方向における両エッジ部を除く部分の金属帯表面を金属帯幅方向に少なくとも二つに区分し、区分された少なくとも一つの金属帯幅方向部分と、この部分に隣接する他方の区分の金属帯幅方向の一部分をあわせた金属帯表面とロール表面が接触するように上下で一組とした粘着性を有する異物除去ロールを少なくとも二組、金属帯長さ方向に組み込んだ異物除去装置を設置したことを特徴とする金属帯の製造設備。
【請求項５】
前記異物除去ロールを、一方のロール胴端部に先細りテーパー部分が形成され、それ以外のロール胴長方向部分にはフラットなロール表面プロフィールが形成され、かつフラットな該ロール表面が金属帯幅方向における両エッジ部を除く部分で前記金属帯表面と接触するロールとしたことを特徴とする請求項４に記載の金属帯の製造設備。
【請求項６】
前記異物除去ロールを、ロール胴長方向にわたりフラットなロール表面プロフィールが形成され、かつ該ロール表面が金属帯幅方向における両エッジ部を除く部分で前記金属帯表面と接触するロールとしたことを特徴とする請求項４に記載の金属帯の製造設備。
【発明の詳細な説明】
【技術分野】
【０００１】
本発明は、金属帯の製造技術に関し、特にレベラーロールにより形状矯正を行う必要がある薄物の金属帯表面に付着した異物を効果的に除去することができる金属帯の製造技術に関する。
【背景技術】
【０００２】
金属帯、例えばステンレス冷延鋼帯は、一般的に図９に示す工程を経て製造される。コイル状製品は、幅調整を行う装置を設置した精整ラインで幅調整を行って製造され、シート状製品は、スリッターラインで幅調整を行った後、レベラーシャーラインなどでシートに切断して製造される。そのうちでも形状が厳しく要求される薄物製品に対しては、精整ラインに設置したテンションレベラー装置により形状矯正を行う。
【０００３】
図１０には、鋼帯１０１長さ方向に金属製のレベラーロール１００Ａを１２本配置したテンションレベラー装置１００を示した。テンションレベラー装置１００では、張力が付与された鋼帯１０１を通板すると、金属製のレベラーロール１００Ａにより鋼帯１０１に繰り返し曲げ、曲げ戻しが施される結果、耳伸びや腹伸びなどが矯正され、平坦な製品が得られる。
【０００４】
このような金属製のレベラーロール１００Ａにより形状矯正を行う際、図11のようにステンレス冷延鋼帯１０１の表面に極小さい異物２００（金属帯を巻取る際に使用する合紙からの紙粉や脱スケールする際に使用したナイロンブラシに起因する短繊維など）が付着していた場合には、異物２００が金属製のレベラーロール１００Ａにより鋼帯表面に押し込まれ、図12-1、図12-2に示すようにして押し込み疵２０１を発生させたり、図13-1、図13-2に示すようにして程度の悪い打ち込み疵２０２を発生させたりする場合があった。２００Ａ、２００Ｂは鋼帯表面に押し込まれた異物を示す。合紙からの紙粉やナイロンブラシに起因する短繊維などの異物起因の押し込み疵２０１もしくは打ち込み疵２０２の大きさは０．１〜１．０ｍｍのものが多い。
【０００５】
上述したような押し込み疵２０１や打ち込み疵２０２は極微小とはいえ、製品上、好ましくないため、レベラーロール１００Ａにより形状矯正を行う前に図14に示すようにステンレス冷延鋼帯１０１を挟んで上下から形状の粘着性を有する異物除去ロール１０２、１０３を鋼帯表面に接触させて異物２００を除去していた（特許文献１〜３）。
【特許文献１】特開平６−１５３７４号公報
【特許文献２】特開平５−５０１２５号公報
【特許文献３】特開平３−１５５４１３号公報
【発明の開示】
【発明が解決しようとする課題】
【０００６】
前記粘着性を有する異物除去ロール１０２、１０３は、粘着性を有するゴム層を表面に形成したロールであり、ステンレス冷延鋼帯の工程生産に用いるには以下のような問題があった。
【０００７】
なお、従来の粘着性を有する異物除去ロール１０２、１０３は、そのロール胴長Ｌが鋼帯幅寸法を超え、フラットなロール表面プロフィールを持つロールであり、異物除去時、図14に示す如く、一組の異物除去ロール１０２、１０３を鋼帯表面の全幅にわたり接触させていた。このため当初、粘着性を有する一組の異物除去ロール１０２、１０３による異物除去効果が認められるものの、
(i)  鋼帯幅方向両エッジ１０１Ａ、１０１Ｂと接触するロール表面に損傷が生じやすく、一度、損傷の発生したロールは再使用できないために、異物除去コストが高くなってしまう。
(ii) 異物起因の押し込み疵や打ち込み疵には、異物除去装置を設置した精整工程由来のものと、精整工程より前の工程で付着した異物によるものとがあるが、その区別は困難であり、精整ラインのなるべく出側近くに異物除去ロール異物除去装置を設置すべきとの考えもあるが、精整ラインの出側近くに異物除去装置を設置した場合には、幅調整後のステンレス冷延鋼帯１０１に普通、図１５に示す如き「返り」３０１が形成されているので、よりロール表面に損傷が発生しやすく、早期に異物除去ロールを交換せざるを得なくなり、異物除去コストが上昇してしまう。
(iii)  損傷の発生した異物除去ロール１０２、１０３を再使用した場合には、ロール表面の損傷部３００から剥離した粘着性を有するゴムのゴム屑が異物として鋼帯表面に付着して、精整工程由来の新たな異物発生源になる恐れがある。
(iv)  精整ラインを通過するステンレス冷延鋼帯１０１の鋼帯幅がロール胴長Ｌを上回る場合、ロール胴長Ｌを上回った部分は異物非除去部分となってしまうことになるが、従来の異物除去装置では鋼帯幅に対応することが困難である。
【０００８】
本発明は、上記従来技術の問題点を解消し、金属帯幅方向両エッジに形成された「返り」がある場合でも、異物除去ロールの表面損傷を抑えつつ、薄物の金属帯表面の異物を除去することができ、しかも、異物除去コストの上昇を抑えることが可能な金属帯の製造方法およびその製造設備を提供することを目的とする。
【課題を解決するための手段】
【０００９】
本発明は以下のとおりである。
１．  レベラーロールにより形状矯正を行う前に金属帯の表面に付着している異物を、粘着性を有する異物除去ロールを用いて除去する金属帯の製造方法において、上下で一組とした粘着性を有する異物除去ロールを少なくとも二組、金属帯長さ方向に位置させて該異物除去ロールをそれぞれ上下から金属帯表面に接触させて、該異物除去ロールにより、金属帯幅方向における両エッジ部分を除く部分の前記金属帯表面に付着している異物を除去することを特徴とする金属帯の製造方法。
２．  前記異物除去ロールを、一方のロール胴端部に先細りテーパー部分が形成され、それ以外のロール胴長方向部分にはフラットなロール表面プロフィールが形成され、かつフラットな該ロール表面が金属帯幅方向における両エッジ部を除く部分で前記金属帯表面と接触するロールとし、前記金属帯表面に付着している異物を除去することを特徴とする上記１．に記載の金属帯の製造方法。
３．  前記異物除去ロールを、ロール胴長方向にわたりフラットなロール表面プロフィールが形成され、かつ該ロール表面が金属帯幅方向における両エッジ部を除く部分で前記金属帯表面と接触するロールとし、前記金属帯表面に付着している異物を除去することを特徴とする上記１．に記載の金属帯の製造方法。
４．  レベラーロールにより形状矯正を行う前に金属帯の表面に付着している異物を、粘着性を有する異物除去ロールを用いて除去するための異物除去装置を設置した金属帯の製造設備であって、金属帯の精整ラインの幅調整装置以降、巻取装置に至る途中に、金属帯幅方向における両エッジ部を除く部分の金属帯表面を金属帯幅方向に少なくとも二つに区分し、区分された少なくとも一つの金属帯幅方向部分と、この部分に隣接する他方の区分の金属帯幅方向の一部分をあわせた金属帯表面とロール表面が接触するように上下で一組とした粘着性を有する異物除去ロールを少なくとも二組、金属帯長さ方向に組み込んだ異物除去装置を設置したことを特徴とする金属帯の製造設備。
５．  前記異物除去ロールを、一方のロール胴端部に先細りテーパー部分が形成され、それ以外のロール胴長方向部分にはフラットなロール表面プロフィールが形成され、かつフラットな該ロール表面が金属帯幅方向における両エッジ部を除く部分で前記金属帯表面と接触するロールとしたことを特徴とする上記４．に記載の金属帯の製造設備。
６．  前記異物除去ロールを、ロール胴長方向にわたりフラットなロール表面プロフィールが形成され、かつ該ロール表面が金属帯幅方向における両エッジ部を除く部分で前記金属帯表面と接触するロールとしたことを特徴とする上記４．に記載の金属帯の製造設備。
【発明の効果】
【００１０】
本発明によれば、金属帯幅方向両エッジに形成された「返り」がある場合でも、異物除去ロールの表面損傷を抑えつつ、金属帯表面の異物を除去することができる。また、本発明によれば、ロール表面の損傷を抑えることができるから、異物除去ロールを洗浄した後、再使用することができ、異物除去コストの上昇を抑えることが可能である。
【発明を実施するための最良の形態】
【００１１】
以下、図１〜３に示すような異物除去ロールを二組、組み込んだ本発明の第１実施の形態に係る異物除去装置６について説明する。
【００１２】
第１実施の形態に係る異物除去装置６は、一組の異物除去ロール２、３と、もう一組の異物除去ロール４、５を備え、異物除去ロール２、３と、異物除去ロール４、５とは、それぞれ、金属帯、例えばステンレス冷延鋼帯１（以下単に、鋼帯１ともいう）を挟んで上下に配置されている。
【００１３】
上流側の一組のロール２、３は、図２に示す如く、鋼帯１を挟んで上、下のロール表面形状が同じとされ、一方のロール胴端部に先細りテーパー部分が形成され、それ以外のロール胴長方向部分にはフラットなロール表面プロフィールが形成されている。テーパー長さａのテーパー部分は、鋼帯幅方向エッジ１Ａから鋼帯幅方向内側に所定範囲だけ非接触となるように形成されている。他方のロール端は、鋼帯幅方向エッジ１Ｂより異物非除去部分の許容幅ｃだけ内側に位置している。
【００１４】
一方、下流側の一組のロール４、５は、図３に示す如く、鋼帯１を挟んで上、下のロール表面形状が同じとされてはいるが、上流側の一組のロール２、３とは異なって、他方のロール胴端部に先細りテーパー部分が形成され、それ以外のロール胴長方向部分にはフラットなロール表面プロフィールが形成されている。一方のロール端は、鋼帯幅方向エッジ１Ａより異物非除去部分の許容幅ｃだけ内側に位置している。テーパー部分は、鋼帯幅方向エッジ１Ｂから鋼帯幅方向内側に所定範囲だけ非接触となるように形成されている。
【００１５】
この第１実施の形態に係る異物除去装置６に組み込むための粘着性を有する異物除去ロール２、３、４、５としては、ロール胴長（有効ロール胴長ＥＬ＋テーパー長さａ）にわたり粘着性を有するゴム層を表面に形成したロールとすることが好ましい。
【００１６】
この理由は、先細りテーパー部分が形成されていることで、表面プロフィールの変化を小さくすることができるから、粘着性を有するゴム層の損傷を抑制することができ、ロール寿命を伸ばすことができるからである。なお、上流側の一組のロール２、３のテーパー形状と下流側の一組のロール４、５のテーパー形状は同じでも、あるいは異なっていてもよい。有効ロール胴長ＥＬは、フラットなロール表面プロフィールが形成されているロール胴長方向部分の長さを示す。また、鋼帯表面と接触するロール表面を、フラットなロール表面プロフィールとする理由は、鋼帯幅方向にロール表面を均一に押し付けることを可能にするためである。
【００１７】
ここで、有効ロール胴長ＥＬは、図２、図３に示すように、ロール表面が異物非除去部分の許容幅ｃに相当する鋼帯幅方向における両エッジ部を除く部分で鋼帯表面と接触するように精整ラインを通過する鋼帯幅に対応させて決めることが重要である。なお、有効ロール胴長は、鋼帯幅方向両エッジ部分を除く、範囲内で設定すればよい。
【００１８】
また、異物非除去部分の許容幅ｃは、精整ラインの特性や幅調整の際に生じる「返り」の影響などを考慮し、鋼帯幅方向両エッジ１Ａ、１Ｂがロール表面と接触しないように設定することが重要である。許容幅ｃに相当する鋼帯幅方向両エッジ部分は、異物が付着したままの状態となる可能性があるから、異物非除去部分の許容幅ｃはできるだけ小さく設定するのが好ましい。
【００１９】
このように各異物除去ロールは、異物非除去部分の許容幅ｃに相当する鋼帯幅方向における両エッジ部を除く部分で鋼帯表面と接触する有効ロール胴長ＥＬのロールとされている。
【００２０】
このような異物除去ロールを二組、鋼帯長さ方向位置に組み込んだ第１実施の形態に係る異物除去装置６の作用・効果について図7-1により説明する。図7-1は、異物除去時の鋼帯上面に関し、鋼帯長さ方向位置で異物が除去された範囲を斜線で示した模式図である。鋼帯下面も同様であるので図示を省略した。
【００２１】
図7-1中、１４は上流側の一組のロール２、３との接触位置を示し、１５は下流側の一組のロール４、５との接触位置を示す。１１の範囲は、上流側の一組のロール２、３により異物を除去した範囲を示し、１２の範囲は、下流側の一組のロール４、５により異物を除去した範囲を示す。１３の範囲は二組のロールによる重複異物除去範囲を示す。
【００２２】
この図から明らかなように、第１実施の形態に係る異物除去装置６によれば、上流側と下流側の二組のロールをそれぞれ上下から鋼帯表面に接触させて、異物非除去部分の許容幅ｃに相当する鋼帯幅方向における両エッジ部を除く部分の鋼帯表面に付着している異物を除去するようにしているから、たとえ、異物除去装置６を精整ラインのスリット装置またはトリミング装置以降、テンションレベラー装置より前に設置した場合でも、ロール表面の損傷を抑えつつ、金属帯表面の異物を除去することができる。
【００２３】
また、第１実施の形態に係る異物除去装置６によれば、上下で一組とした粘性を有する異物除去ロールを二組、鋼帯長さ方向に組み込んで、異物除去を行うため、異物除去ロールの組数が従来に比べて増えるが、ロール表面の損傷を抑えることができるから、異物除去ロールを洗浄した後、再使用することができ、異物除去コストの上昇を抑えることが可能である。
【００２４】
ところで、第１実施の形態に係る異物除去装置６は、図7-1に示した如く、上流側の一組のロール２、３は、許容幅ｃに相当する範囲を除いて、鋼帯幅方向エッジ１Ｂから鋼帯幅方向中央までの鋼帯表面およびその部分と隣接する鋼帯幅方向部分の一部範囲の鋼帯表面と接触するロール表面をもつ。また下流側の一組のロール４、５は、許容幅ｃに相当する範囲を除いて、鋼帯幅方向エッジ１Ａから鋼帯幅方向中央までの鋼帯表面およびその部分と隣接する鋼帯幅方向部分の一部の鋼帯表面と接触するロール表面をもつ。なお、図7-1で、Ｗは、許容幅ｃに相当する鋼帯幅方向における両エッジ部を除く部分の幅を示す。
【００２５】
このようなロール表面をもつ異物除去ロールを二組、鋼帯長さ方向に組み込んだ異物除去装置６とする理由は、精整ラインを通過する鋼帯１の鋼帯幅に対応するためである。
【００２６】
例えば精整ラインにおいて、鋼帯１より鋼帯幅の広い鋼帯１’を製造する場合について、図２、３を参照しつつ、図7-2を用いて説明する。図7-2でＷ’は、許容幅ｃに相当する鋼帯幅方向における両エッジ部を除く部分の幅を示す。
【００２７】
鋼帯１より鋼帯幅の広い鋼帯１’の異物除去処理を行うには、鋼帯幅方向エッジ１Ｂ’に対応させて、上流側の一組のロール２、３を矢印７方向（図２参照）にシフトし、反対側の鋼帯幅方向エッジ１Ａ’に対応させて、矢印８方向（図３参照）にシフトする。
【００２８】
異物除去装置６によれば、二組のロールをそれぞれ鋼帯幅に応じてロール軸方向にシフトした場合、上流側の一組のロール２、３により異物を除去した範囲１１と、下流側の一組のロール４、５により異物を除去した範囲１２は変化しない。従って、二組のロールによる重複異物除去範囲１３は幅が狭い鋼帯１の場合に比べ狭くなるものの、広幅の鋼帯１’に対応するすることができ、二組のロールにより鋼帯幅方向における両エッジ部を除く部分の鋼帯表面に付着している異物を除去することができる。
【００２９】
なお、鋼帯１より幅の狭い鋼帯を製造する場合には、二組のロールをそれぞれ図２、３の矢印７、８と反対方向にシフトすればよい。
【００３０】
第１実施の形態に係る異物除去装置６と同様な作用効果を発揮させる装置としては、図４〜図６に示すような第２実施の形態に係る異物除去装置６’とすることもできる。
【００３１】
第２実施の形態に係る異物除去装置６’には、ロール胴長方向にわたりフラットなロール表面プロフィールが形成され、かつロール表面が鋼帯幅方向における両エッジ部を除く部分で鋼帯表面と接触するロール胴長Ｌのロールが二組、鋼帯長さ方向に組み込まれている。なお、ｄは上流側での異物除去ロール２’、３’との非接触部分を示し、ｅは下流側での異物除去ロール４’、５’との非接触部分を示す。
【００３２】
また、各異物除去ロール２’、３’、４’、５’は、異物除去装置６に組み込んだロールと同様、ロール胴長Ｌにわたり粘着性を有するゴム層を表面に形成したロールとすることが好ましい。異物除去装置６または６’は、テンションレベラー装置により形状矯正を行う前に異物を除去する必要があるから、テンションレベラー装置が設置される箇所より上流側で、かつステンレス冷延鋼帯の精整ラインの幅調整装置以降、巻取装置に至る途中に設置する。異物除去装置６または６’を精整ラインの幅調整装置以降に設置する理由は、当該、精整ラインにおける異物付着を避けるため、できるだけラインの下流側に設置するためである。
【００３３】
本発明に係る金属帯、例えばステンレス冷延鋼帯の製造方法においては、上下で一組とした粘着性を有する異物除去ロールを少なくとも二組、鋼帯長さ方向位置に組み込んだ異物除去装置を用い、少なくとも二組の異物除去ロールをそれぞれ上下から鋼帯表面に接触させて、少なくとも二組の異物除去ロールにより、鋼帯幅方向における両エッジ部を除く部分の前記鋼帯表面に付着している異物を除去する。
【００３４】
従って、鋼帯幅方向両エッジに形成された「返り」がある場合でも、異物除去ロールの表面損傷を抑えつつ、金属帯表面の異物を除去することができる。また、本発明に係るステンレス冷延鋼帯の製造方法では、異物除去装置に組み込む異物除去ロールの組数が従来に比べて増えるが、ロール表面の損傷を抑えることができるから、異物除去ロールを洗浄した後、再使用することができ、異物除去コストの上昇を抑えることが可能である。
【実施例１】
【００３５】
図8-1に示すようなスリッターラインに本発明を適用した。スリッターラインは、ペイオフリール２１とテンションリール２２間に設置したスリット装置２３によりステンレス鋼帯２０の幅調整を行う精整ラインである。この精整ラインのスリット装置２３以降であってテンションリール２２に至る途中のできるだけ出側近くの適切な箇所であるルーパーとベルトブライドル間に上述した本発明に係る異物除去装置６を設置した。異物除去装置６には、有効ロール胴長ＥＬが１３００ｍｍ、テーパー部分の長さａが２００ｍｍ、テーパー量が半径当たりテーパー部分の長さａに対して１ｍｍであるロール径が１００ｍｍの粘着性を有する異物除去ロールを上下で一組とし、２組組み込んだ。
【００３６】
スリット装置２３で幅調整を行った後、異物除去装置６により、板厚ｈが０．５〜０．６ｍｍで、幅が１０１５ｍｍのフェライト系ステンレス鋼帯２０の異物除去処理を行い、発明例とした。異物除去処理は、異物非除去部分の許容幅ｃを０．５ｍｍとし、上下それぞれのロール押し込み量（ロール表面を鋼板表面に接触させたときを０とし、それから上下のロールを互いに接近させて、押し込んだ量）を１ｍｍとして行った。粘着性を有する異物除去ロールとしては、粘着ゴムロール（テクノロール株式会社製）を用いた。
【００３７】
その結果、発明例では、２０コイル（平均１５ｔｏｎ／コイル）処理しても、ロール表面に損傷がなく、これらの異物除去ロールは洗浄することにより、再使用することができた。また、異物除去処理を行ったフェライト系ステンレス鋼帯２０は、その後テンションレベラー装置を設置したレベラーシャーラインを通してシート状製品としたが、シート状製品には、押し込み疵や打ち込み疵が発生していなかった。
【００３８】
一方、ロール胴長Ｌが１５００ｍｍ、ロール径が１００ｍｍのフラットなロール表面プロフィールを持つ上下一組の異物除去ロールを用いて、ロール表面を鋼帯表面全幅にわたり接触させて行っていた従来の場合には、３コイル処理（平均１５ｔｏｎ／コイル）した時点で鋼帯エッジ部の接触したロール表面に損傷が発生していた。また、従来の方法では、損傷が発生した異物除去ロールをそのまま再使用した場合、通算して５コイル目を処理している途中でロール表面の損傷部から剥離した異物が発生した。
【００３９】
なお、図8-2に示すようなステンレス冷延鋼帯のテンションレベラーラインに異物除去装置６を設置する際には、トリミング装置３３以降であってテンションレベラー装置３４に至る途中の適切な箇所として、上流側の張力付与装置３５とテンションレベラー装置３４間に設置することができる。このテンションレベラー装置３４には、ステンレス鋼帯３０に張力を付与する張力付与装置３５（４本ブライドル構成）が備えられ、また、図示したステンレス冷延鋼帯の精整ラインには、ペーパー巻取装置３６が設置されている。
【図面の簡単な説明】
【００４０】
【図１】本発明の第１実施の形態に係る異物除去装置を説明する概略側面図である。
【図２】図１のＸ１−Ｘ１矢視断面図である。
【図３】図１のＸ２−Ｘ２矢視断面図である。
【図４】本発明の第２実施の形態に係る異物除去装置を説明する概略側面図である。
【図５】図４のＸ３−Ｘ３矢視断面図である。
【図６】図４のＸ４−Ｘ４矢視断面図である。
【図７−１】本発明にかかる異物除去方法を説明する図である。
【図７−２】本発明にかかる異物除去方法を説明する図である。
【図８−１】本発明を適用したスリッターラインの全体構成を示す概略図である。
【図８−２】本発明を適用して好適なテンションレベラーラインの全体構成を示す概略図である。
【図９】ステンレス冷延鋼帯の製造工程を示すフロー図である。
【図１０】金属製レベラーロールにより形状矯正を行うテンションレベラー装置の概略図である。
【図１１】テンションレベラー装置通過前の金属帯上の異物を示す図である。
【図１２−１】テンションレベラー装置通過後の金属帯上の異物を示す図である。
【図１２−２】異物起因の押し込み疵を示す図である。
【図１３−１】テンションレベラー装置通過後の金属帯上の他の異物を示す図である。
【図１３−２】異物起因の打ち込み疵を示す図である。
【図１４】従来の異物除去装置における異物除去ロールの問題点を説明する図である。
【図１５】金属帯幅方向エッジに形成された返りを示す金属帯幅方向断面図である。
【符号の説明】
【００４１】
１  鋼帯（ステンレス鋼帯）
１Ａ、１Ｂ  鋼帯幅方向エッジ
ｈ  板厚
２、３、４、５、２’、３’、４’、５’  異物除去ロール（ロール）
６、６’異物除去装置
Ｌ  ロール胴長
ＥＬ  有効ロール胴長
ａ  テーパー部分の長さ
ｂ  損傷部の幅
ｃ  異物非除去部分の許容幅
ｄ  上流側での異物除去ロールとの非接触部分
ｅ  下流側での異物除去ロールとの非接触部分
１１  上流側の一組の異物除去ロールにより異物を除去した範囲
１２  下流側の一組の異物除去ロールにより異物を除去した範囲
１３  二組の異物除去ロールによる重複異物除去範囲
１４  上流側の異物除去ロールとの接触位置
１５  下流側の異物除去ロールとの接触位置
Ｗ、Ｗ’  鋼帯幅方向における両エッジ部を除く部分の幅
２０、３０  ステンレス鋼帯
２１、３１  ペイオフリール
２２、３２  テンションリール
２３  スリット装置
３３  トリミング装置
３４  テンションレベラー装置
３５  張力付与装置
３６  ペーパー巻取装置
１００  テンションレベラー装置
１００Ａ  レベラーロール
１０１  鋼帯（ステンレス鋼帯）
１０１Ａ、１０１Ｂ  鋼帯幅方向エッジ
２００、２００Ａ、２００Ｂ  異物
２０１  押し込み疵
２０２  打ち込み疵
１０２、１０３  異物除去ロール
３００  損傷部
３０１  鋼帯幅方向エッジに形成された「返り」
【図１】
2005270983.tif 000003
【図２】
2005270983.tif 000004
【図３】
2005270983.tif 000005
【図４】
2005270983.tif 000006
【図５】
2005270983.tif 000007
【図６】
2005270983.tif 000008
【図７−１】
2005270983.tif 000009
【図７−２】
2005270983.tif 000010
【図８−１】
2005270983.tif 000011
【図８−２】
2005270983.tif 000012
【図９】
2005270983.tif 000013
【図１０】
2005270983.tif 000014
【図１１】
2005270983.tif 000015
【図１２−１】
2005270983.tif 000016
【図１２−２】
2005270983.tif 000017
【図１３−１】
2005270983.tif 000018
【図１３−２】
2005270983.tif 000019
【図１４】
2005270983.tif 000020
【図１５】
2005270983.tif 000021